(57)【要約】【課題】  火災時に戸の内部で発生した可燃ガスに起因する延焼を防止できるドアの提供。【解決手段】  枠１と、枠１に開閉自在に取付けた戸２と、枠１と戸２の間に設けた気密材３とを備え、戸２は、表裏のパネル４ａ，４ｂと、パネル４ａ，４ｂ間に配置した芯材５と、パネル４ａ，４ｂの縁部に沿ってパネル４ａ，４ｂ間に配置した補強材６，７とを備え、吊元側の補強材６ａにガス抜き孔８が設けてあり、気密材３は、ガス抜き孔８に対して見込み方向にずれた位置に設けてある。【選択図】      図１
2014034842.tif 000002
【特許請求の範囲】
【請求項１】
枠と、枠に開閉自在に取付けた戸と、枠と戸の間に設けた気密材とを備え、戸は、表裏のパネルと、パネル間に配置した芯材と、パネルの縁部に沿ってパネル間に配置した補強材とを備え、吊元側の補強材にガス抜き孔が設けてあり、気密材は、ガス抜き孔に対して見込み方向にずれた位置に設けてあることを特徴とするドア。
【発明の詳細な説明】
【技術分野】
【０００１】
本発明は、防火性能を向上させたドアに関する。
【背景技術】
【０００２】
表裏の鋼板間に芯材を配置したいわゆるフラッシュドアは、火災時に戸の内部で可燃ガスが発生し、発生した可燃ガスは戸のあらゆる部分から噴出し、可燃ガスに火が引火して延焼につながるおそれがあった。
【発明の概要】
【発明が解決しようとする課題】
【０００３】
本発明は以上に述べた実情に鑑み、火災時に戸の内部で発生した可燃ガスに起因する延焼を防止できるドアの提供を目的とする。
【課題を解決するための手段】
【０００４】
上記の課題を達成するために請求項１記載の発明によるドアは、枠と、枠に開閉自在に取付けた戸と、枠と戸の間に設けた気密材とを備え、戸は、表裏のパネルと、パネル間に配置した芯材と、パネルの縁部に沿ってパネル間に配置した補強材とを備え、吊元側の補強材にガス抜き孔が設けてあり、気密材は、ガス抜き孔に対して見込み方向にずれた位置に設けてあることを特徴とする。なお補強材は、パネルの外周縁部に沿って配置したもの、パネルの開口部の縁部に沿って配置したものの何れも含まれる。
【発明の効果】
【０００５】
請求項１記載の発明によるドアは、戸の吊元側の補強材にガス抜き孔が設けてあるため、火災時に戸の内部で発生した可燃ガスはこのガス抜き孔から集中的に抜けることとなり、また戸の吊元側は蝶番で竪枠に拘束されておりほとんど変形せず、尚且つ気密材がガス抜き孔に対して見込み方向にずれた位置に設けてあって枠と戸の間の隙間を塞いでいるため、可燃ガスを戸の吊元側から抜くことで可燃ガスが室内外に貫通しにくく、延焼を防止できる。
【図面の簡単な説明】
【０００６】
【図１】図３のＡ−Ａ断面図である。
【図２】図３のＢ−Ｂ断面図である。
【図３】本発明の第１実施形態に係るドアの室外側正面図である。
【図４】戸の吊元側に設けられる補強材を吊元側から見た図である。
【図５】同ドアの火災時における横断面図である。
【図６】本発明の第２実施形態に係るドアの室外側正面図である。
【図７】図６のＣ−Ｃ断面図である。
【図８】図６のＤ−Ｄ断面図である。
【図９】投函口の部分の分解斜視図である。
【図１０】火災時における投函口の部分の縦断面図である。
【図１１】火災時における投函口の部分の横断面図である。
【発明を実施するための形態】
【０００７】
以下、本発明の実施の形態を図面に基づいて説明する。図１〜３は、本発明のドアの第１実施形態を示している。本ドアは、玄関用のドアであって、躯体開口部に取付けられる枠１と、枠１に蝶番１５により室外側に開くように取付けた戸２とを備える。戸２は、図３に示すように、左右方向の中央部に縦長の長方形の採光窓１０を備えている。
【０００８】
枠１は、アルミニウム合金の押出形材で形成した上枠１ａと下枠１ｂと左右の竪枠１ｃ，１ｄとを枠組みして形成してある。枠１は、図１，２に示すように、内周側面の室内側寄りの位置に気密材ホルダー１６が内周側に突出して形成してあり、気密材ホルダー１６に気密材３が室外側に向けて取付けてあり、気密材３は戸１の室内側面の外周縁部に当接して枠１と戸２の間の隙間を塞いでいる。気密材３は、火災の熱に強い不燃性のものが好ましく、例えば焼結シリコンゴムで形成したもの、火災の熱に反応して発泡膨張する熱発泡性耐火材を用いたものを用いることができる。
【０００９】
戸２は、図１，２に示すように、室外側と室内側の表面に鋼板４ａ，４ｂを備え、戸２内部には室外側と室内側の鋼板４ａ，４ｂ間に挟む形で芯材５が設けてあり、さらに両鋼板４ａ，４ｂ間には芯材５の周囲を囲むようにスチール製の外周補強材６ａ，６ｂ，６ｃ，６ｄが設けてある。芯材５としてはペーパーハニカムを用いており、芯材５は鋼板４ａ，４ｂの裏面に接着剤で接着してある。
外周補強材６ａ，６ｂ，６ｃ，６ｄは、内周側が開放したコ字形断面の長尺材であり、戸２の外周部を補強している。表裏の鋼板４ａ，４ｂは、外周縁部を折り返して外周補強材６ａ，６ｂ，６ｃ，６ｄの見込み面に当接し、リベット１７で固定してある。吊元側の外周補強材６ａは、図１，４に示すように、見込み面の中央位置にガス抜き孔８が長手方向に間隔をおいて複数（図示のものは５カ所）設けてある。
【００１０】
戸２の吊元側の縁部には、図１に示すように、エッジ材１８が戸２の全長に亘って設けてある。エッジ材１８はアルミニウム合金の押出形材よりなり、エッジ材１８と吊元側の外周補強材６ａとの間には、上下方向に連通した隙間１９が形成されている。この隙間１９内のガス抜き孔８よりも室内側の位置には、熱に反応して発泡・膨張する熱膨張性耐火材９ａがエッジ材１８の長手方向に沿って設けてある。かかる熱膨張性耐火材９ａは、市販品の中から適宜選択して用いることができ、例えば積水化学工業株式会社製の商品名「フィブロック」を用いることができる。これは、プラスチック技術を活用した有機系耐火材であり、通常の状態では薄いシート状で、２００℃以上に加熱されると厚さ方向に５〜４０倍に膨張し、断熱層を形成する。火災時に消失することがなく、有害ガスが発生することもない。またフィブロックは、片面に剥離紙付きの接着層を有しているので、剥離紙を剥がして簡便に接着取付けできる。
戸２の戸先側の縁部にも、アルミニウム合金の押出形材よりなるエッジ材２０が戸２の全長に設けてある。戸先側のエッジ材２０は、室外側の端部に煙返し２１を外周側に突出して有し、煙返し２１により竪枠１ｄと戸２の間の隙間を室外側から隠している。エッジ材２０の見込み面の煙返し２１に隣接する位置には、熱膨張性耐火材９ｂがエッジ材２０の長手方向に沿って設けてある。
【００１１】
採光窓１０は、図１，２に示すように、表裏の鋼板４ａ，４ｂに開口部２２ａ，２２ｂを形成し、開口部２２ａ，２２ｂの縁部に沿って開口部補強枠７を鋼板４ａ，４ｂ間に設け、開口部補強枠７にガラス（複層ガラス）２３を嵌め込んで構成してある。また、開口部２２ａ，２２ｂの周囲を囲むように、戸２の室外側面と室内側面にはモール材２４が取付けてある。
開口部補強枠７は、アルミニウム合金の押出形材よりなる上枠材７ａと下枠材７ｂと左右の竪枠材７ｃ，７ｃを枠組みして構成され、各枠材７ａ，７ｂ，７ｃ，７ｃは内周側が開口したガラス保持溝２５を有し、ガラス保持溝２５にグレチャン２６を介してガラス２３の縁部を嵌め込んでいる。ガラス保持溝２５内には、ステンレス板をコ字形に折り曲げて形成したガラス間口補強材２７がガラス保持溝２５の全長に亘って設けてある。ガラス間口補強材２７の見付け面の縁部には、グレチャン２６と対向するように熱膨張性耐火材９ｃが全長に設けてある。さらに、ガラス間口補強材２７の見込み面の室内側位置にも、熱膨張性耐火材９ｄが全長に設けてある。開口部補強枠７とガラス間口補強材２７は、リベット２８により表裏の鋼板４ａ，４ｂと固定してある。
さらに開口部補強枠７は、外周側の見込み面の室外側と室内側に突条２９が設けてあり、突条２９の全長に熱膨張性耐火材９ｅが鋼板４ａ，４ｂの裏面に対向するように設けてある。
【００１２】
火災が発生して戸２が熱せられると、芯材５を接着している接着剤より可燃ガスが発生する。戸２の内部で発生した可燃ガスは、吊元側の外周補強材６ａにガス抜き孔８が設けてあるので、図５中に矢印３０で示すように、このガス抜き孔８から外周補強材６ａとエッジ材１８との間の隙間１９に出て、可燃ガスは空気よりも軽いため、この隙間１９を通って上に上がり、上側の小口から戸２の外部に抜ける。戸２が火災の熱で反り変形したとしても、戸２の吊元側は蝶番１５で竪枠１ｃに拘束されておりほとんど変形しないので、戸２の吊元側と枠１の間は気密材３で塞がれた状態が維持されるから、外周補強材６ａとエッジ材１８との隙間１９から上方に抜けた可燃ガスは室外側に放出され、室内側に侵入することがない。このように本ドアは、火災時に戸２内部で発生した可燃ガスが室内外に貫通することを防ぎ、延焼を効果的に防止できる。  
また本ドアは、吊元側の外周補強材６ａに沿ってエッジ材１８が設けてあり、エッジ材１８と外周補強材６ａ間に上下に連通した隙間１９が設けてあるため、ガス抜き孔８から抜けた可燃ガスがこの隙間１９を通って上に抜けるので、延焼を防止する効果が高い。さらに、ガス抜き孔８がエッジ材１８で隠れるため、意匠性が向上する。
さらに、エッジ材１８と外周補強材６ａ間の隙間１９の室内側に熱膨張性耐火材９ａが設けてあるため、火災時にエッジ材１８が変形しても発泡した熱膨張性耐火材９ａがエッジ材１８と外周補強材６ａとの隙間を塞ぐため、エッジ材１８と外周補強材６ａの間から室内側に可燃ガスが漏れるのを防ぐことができる。
【００１３】
さらに本ドアは、戸２の開口部２２ａ，２２ｂの周囲に配置した開口部補強枠７に熱膨張性耐火材９ｅを鋼板４ａ，４ｂの裏面に対向して備えており、図５に示すように、火災時にはこの熱膨張性耐火材９ｅが発泡・膨張して鋼板４ａ，４ｂとの隙間を塞ぐため、戸２の内部で発生した可燃ガスが開口部２２ａ，２２ｂから室内側や室内側に噴出するのを防止できる。
さらに、開口部補強材７のガラス保持溝２５内に熱膨張性耐火材９ｃ，９ｄが設けてあり、火災時にはこの熱膨張性耐火材９ｃ，９ｄが発泡・膨張してガラス保持溝２５とガラス２３との隙間が塞がれるため、ガラス２３の周囲から火炎や煙等が室内外に貫通するのを防ぐことができる。また、ガラス保持溝２５内にステンレス製のガラス間口補強材２７が設けてあることで、ガラス保持溝２５の室外側や室内側の壁が火災の熱で溶けたとしてもガラス２３の脱落を防止することができる。
また本ドアは、戸２の戸先側にエッジ材２０が取付けてあり、エッジ材２０の見込み面に熱膨張性耐火材９ｂが設けてあるため、火災時に戸２が熱で反って戸先部と竪枠１ｄとの隙間が広がったとしても、図５に示すように、前記熱膨張性耐火材９ｂが発泡して戸先部と竪枠１ｄ間の隙間を塞ぐため、戸先部と竪枠１ｄの間から火炎や煙等が侵入するのを防ぐことができる。
【００１４】
図６〜８は、本発明のドアの第２実施形態を示している。このドアも玄関用のドアであり、戸２には郵便物や新聞等を投函するための投函口１１を備えている。ドアの基本的な構成は第１実施形態と同じであり、以下、投函口１１周辺の構造について説明する。
【００１５】
投函口１１は、図７，８に示すように、表裏の鋼板４ａ，４ｂに開口部３１ａ，３１ｂを形成し、開口部３１ａ，３１ｂの縁部に沿って投函口補強枠１２を鋼板４ａ，４ｂ間に設けてある。室外側の鋼板４ａの開口部３１ａには、開閉自在な蓋３２が取付けてある。蓋３２は、水平軸３３により室内側に開くように設けてあり、ねじりバネ３４により開口部３１ａを内側から塞ぐように付勢してある。室内側の鋼板４ｂの開口部３１ｂには、投函口補強枠１２の内周側を囲むように投函口カバー材１３が取付けてある。さらに戸２の室内側面には、投函口１１より投函された新聞等を受ける受け箱３５が取付けてある。
【００１６】
投函口補強枠１２は、スチールやステンレスの板で形成され、図７〜９に示すように、上枠部１２ａと下枠部１２ｂと左右の竪枠部１２ｃ，１２ｃとを有している。上枠部１２ａは、下側が開放したコ字形断面の部材であり、上枠部１２ａの両端部は戸２の吊元側及び戸先側の外周補強材６ａ，６ｂに固定してある。下枠部１２ｂと左右の竪枠部１２ｃ，１２ｃは、図９に示すようにコ字形に一体化して設けられ、上枠部１２ａにネジ３６で連結してある。下枠部１２ｂは、図７に示すように、室外側に水平な室外側見付け面部３７を有し、室外側見付け面部３７の室内側に連続して下方に傾斜した傾斜面部３８を有している。室外側見付け面部３７の室外側の位置には、熱膨張性耐火材９ｆが全長に設けてある。
【００１７】
投函口カバー材１３は、ステンレスの板で形成したものであり、図７〜９に示すように、上カバー材１３ａと横カバー材１３ｂ，１３ｂと下カバー材１３ｃとに分割されている。上カバー材１３ａは、図７に示すように、戸２の室内側面にネジ３９で固定される見付面部４０と、見付面部４０の下縁より室外側に水平にのびる室内側見込面部４１と、その室外側に外周側に傾斜してのびる傾斜面部４２とを備え、傾斜面部４２の内周側面（下面）に熱膨張性耐火材９ｇが設けてある。
横カバー材１３ｂは、図８に示すように、上カバー材１３ａと同様に戸２の室内側面にネジ３９で固定される見付面部４０と、見付面部４０の内周側縁より室外側にのびる室内側見込面部４１と、その室外側に外周側に傾斜してのびる傾斜面部４２とを備え、傾斜面部４２の内周側面に熱膨張性耐火材９ｈが設けてある。
下カバー材１３ｃは、図７に示すように、見付面部４０と、見付面部４０の上縁より下枠部１２ｂの傾斜面部３８に沿ってのびる傾斜面部４３と、傾斜面部４３の先端から室外側にのびて下枠部１２ｂの室外側見込面部３７と対向する見込面部４４とを有しており、見付面部４０と傾斜面部４３をネジ３９で固定している。見込面部４４の先端部は、熱膨張性耐火材９ｆの上に重なっている。
【００１８】
以上に述べたように投函口１１の内部には、室外側の鋼板４ａの開口部３１ａの周囲を囲むように、上カバー材１３ａと横カバー材１３ｂ，１３ｂと下枠部１２ｂとに熱膨張性耐火材９ｆ，９ｇ，９ｈがそれぞれ設けてある。火災が発生すると、図１０，１１に示すように、これらの熱膨張性耐火材９ｆ，９ｇ，９ｈが火災の熱により発泡・膨張して、蓋３２を室内側から押さえるように開口部３１ａの周囲を塞ぐ。これにより、投函口１１を火炎が貫通するのを確実に防ぐことができ、よって投函口１１からの延焼を防止することができる。
【００１９】
上側の熱膨張性耐火材９ｇと横の熱膨張性耐火材９ｈは、上カバー材１３ａと横カバー材１３ｂの室内側見込面部４１の室外側に外周側に傾斜して設けた傾斜面部４２に設けてあるため、室内側から投函口１１を覗きこんでも熱膨張性耐火材９ｇ，９ｈが見えない。また、熱膨張性耐火材９ｇ，９ｈが投函口１１に新聞等を投函するのに邪魔にならず、新聞等が熱膨張性耐火材９ｇ，９ｈに当たって熱膨張性耐火材９ｇ，９ｈが脱落することもない。
下側の熱膨張性耐火材９ｆは、下枠部１２ｂの室外側見込面部３７に設けてあり、この熱膨張性耐火材９ｆを室内側から隠すように下カバー材１３ｃを設けてあるため、室内側から投函口１１を覗きこんでも熱膨張性耐火材９ｆが見えない。また、熱膨張性耐火材９ｆが投函口１１に新聞等を投函するのに邪魔にならず、新聞等が熱膨張性耐火材９ｆに当たって熱膨張性耐火材９ｆが脱落することもない。投函口１１に投函された新聞等は、下カバー材１３ｃの上を滑って受け箱３５に落ちる。
【００２０】
本発明は以上に述べた実施形態に限定されない。芯材５の材質は任意であり、例えば発泡スチロール等の樹脂で形成したものでもよい。パネル４ａ，４ｂと補強材６，７，１２の材質は、耐火性を有する金属が好ましいが、特に限定されるものではない。ガス抜き孔８の位置や大きさ、形状、ガス抜き孔８の数は、適宜変更することができる。気密材３は、ガス抜き孔８に対して見込み方向にずれた位置に設けてあればよく、気密材３を設ける位置は適宜変更することができるが、ガス抜き孔８よりも室内側に設けてあるとガス抜き孔８から抜けた可燃ガスが室外に放出され、室内側に侵入しないためより好ましい。気密材３の材質や形状は、特に限定されない。本発明は、戸２に採光や投函口等のための開口部を有しないものにも適用することができる。
【符号の説明】
【００２１】
１  枠
２  戸
３  気密材
４ａ，４ｂ  鋼板（パネル）
５  芯材
６ａ，６ｂ，６ｃ，６ｄ  外周補強材（補強材）
７  開口部補強枠（補強材）
８  ガス抜き孔
９ａ，９ｂ，９ｃ，９ｄ，９ｅ，９ｆ，９ｇ，９ｈ  熱膨張性耐火材
１０  採光窓
１１  投函口
１２  投函口補強枠（補強材、取付材）
１３  投函口カバー材（取付材）
【図１】
2014034842.tif 000003
【図２】
2014034842.tif 000004
【図３】
2014034842.tif 000005
【図４】
2014034842.tif 000006
【図５】
2014034842.tif 000007
【図６】
2014034842.tif 000008
【図７】
2014034842.tif 000009
【図８】
2014034842.tif 000010
【図９】
2014034842.tif 000011
【図１０】
2014034842.tif 000012
【図１１】
2014034842.tif 000013